(57)【特許請求の範囲】
【請求項１】
低メトキシ化ペクチン又はアルギン酸ナトリウムと多価金属からなるゲル粒子であって、多価金属の含有量が粒子乾燥重量中の２％以上であり、アスペクト比が１．７以下であるゲル粒子からなる固定化金属クロマトグラフィー用分離材。
【請求項２】
多価金属がアルミニウム、カルシウム、スカンジウム、チタン、バナジウム、クロム、マンガン、鉄、 コバルト、ニッケル、銅、亜鉛、ガリウム、ゲルマニウム、ストロンチウム、イットリウム、ジルコニウム、モリブデン、カドミウム、インジウム、スズ、バリウム、ハフニウム、鉛、ビスマス、ランタニドから選ばれた１つあるいは２つ以上のものである請求項１に記載の分離材。
【請求項３】
１％以上の濃度の低メトキシ化ペクチン溶液又はアルギン酸ナトリウム溶液を０．００５モル濃度以上の多価金属イオン溶液に接触させることからなるアスペクト比が１．７以下であるゲル粒子からなる固定化金属クロマトグラフィー用分離材の製造方法。
【発明の詳細な説明】
【技術分野】
【０００１】
本発明は、低メトキシ化ペクチン又はアルギン酸ナトリウムと多価金属からなるゲル粒子に関する。本発明により製造されたゲル粒子は細胞や蛋白質など生物関連物質の分離材として用いることができる。
【背景技術】
【０００２】
クロマトグラフィーは蛋白質や細胞など生物関連物質の分離技術として極めて有用であるが、近年、そのうちでも特に金属とこれらの生物関連物質の相互作用を利用した、固定化金属クロマトグラフィーが注目されており（たとえば非特許文献１）、多くの市販品がある。これらは全てアガロースなどの担体に金属を固定するためのキレート官能基（ほとんどがイミノジ酢酸）を固定し、そのキレート官能基に金属を固定したものである。これらは１）キレート官能基を固定する反応が煩雑、２）キレート官能基の固定に用いる有害な試薬の残存と使用中の溶出、３）キレート官能基自体の脱離、溶出の問題があり、特に２）、３）は医薬品や食品の分離精製においては極めて深刻な問題となる。最近、これらの問題を解決する試みが散見されるようになってきた。
【０００３】
非特許文献２では食品分野で汎用されるゲル化剤であるアルギン酸ナトリウムに通常、食品分野でゲル化に用いるカルシウムイオンではなく、亜鉛イオン（塩化亜鉛）に接触させることでゲル化させ、クロマトグラフィー用分離材を作成することが開示されている。しかしながら、同文献では、得られたアルギン酸亜鉛ゲル粒子に関し、「球状のＣａ−アルギン酸ゲルとは異なり、亜鉛−アルギン酸ゲルは押しつぶしたディスク状の形状である」と述べられており、クロマトグラフィー用の分離材として用いられるような球状のアルギン酸ナトリウムのゲル粒子は存在しなかった。
【０００４】
また、ペクチンはリンゴなど果実の皮の主成分である多糖類で、非常に安価な天然資源であり、アルギン酸ナトリウム同様、食品分野でゲル化剤や増粘剤として用いられている（たとえば特許文献１）。ペクチンは主にガラクチュロン酸とメチル化ガラクチュロン酸で構成されており、その性質はそのエステル化度によって、性質が異なる。全ガラクチュロン酸のうち、メチル化ガラクチュロン酸の占める割合（一般にエステル化度、DEと呼ばれる）が５０％より高いものを高メトキシ化ペクチン、５０％以下のものを低メトキシ化ペクチンという。高メトキシ化ペクチンのゲル化には糖と酸が必要で、低メトキシ化ペクチンのゲル化にはカルシウムイオンが必要と言われている（非特許文献３）。低メトキシ化ペクチンのゲル化に用いられるカルシウムは食品中に含まれているカルシウムイオンがほとんどで、食品中のカルシウムイオンでは不足する場合は、水溶性で安全性の高いカルシウム化合物（乳酸カルシウムなど）を用いてゲル化が行われている。
【０００５】
また、ペクチンの食品以外の用途としてはあげられているものは、「のど飴用の鎮痛剤、傷テープ、人工肛門用接着剤、抗潰瘍剤、乳液状や懸濁液状の医薬品用の増粘安定剤」（非特許文献４）であり、本願のようなクロマトグラフィー用の分離材に関する記載は一切無い。
【特許文献１】特公昭６１−５４３８３号公報
【非特許文献１】Porath,J.他,"Metal chelate affinity chromatography, a new approach to protein fractionation",Nature,１９７５年１２月,vol.258,p598-599
【非特許文献２】Gupta,MN.他,"Immobilized Metal Affinity Chromatography without Chelating Ligands:Purification of Soybean Trypsin Inhibitor on Zinc Alginate Beads",Biotechnol.Prog.,２００２年１月,vol.18,no.1,p78-81
【非特許文献３】林良純,"ペクチンの特性と利用法",Foods Food Ingredients J.Jpn.,１９９６年,no.167,p22-29
【非特許文献４】シーエムシー出版、"天然・生体高分子材料の新展開"、２００３年１１月、p104
【発明の開示】
【発明が解決しようとする課題】
【０００６】
本発明の目的は安全で、簡便、低コストで製造できる、細胞や蛋白質など生物関連物質の分離材等に利用できるゲル粒子を提供することにある。
【課題を解決するための手段】
【０００７】
本発明者らは前記課題を解決すべく鋭意検討を進めた。非特許文献２でアルギン酸ナトリウムがカルシウム以外の金属（ここでは亜鉛）でもディスク形状のゲルが生成することに鑑み、これを深く考察し、食品分野ではアルギン酸ナトリウムと同様汎用される低メトキシ化ペクチンもカルシウムイオン以外の金属イオン、特に食品分野では全く検討されていないランタニド類などの重金属でもゲル化し、ゲル粒子が作成できるのではないかという大胆な仮説を立て本発明を完成した。さらに、当該発明を金属固定化クロマトグラフィーなどの分離材として用いる場合は食品分野で用いられるようなゲル（ゼリー状食品）ではなくアスペクト比が１．７以下の固い球状粒子でなければならないことを考慮し、この点からも製造方法（原料金属イオン濃度、原料ペクチン又はアルギン酸のナトリウム濃度、等）の検討を行い、本発明を完成させたものである。すなわち、本発明は以下の構成を有する。
（１）低メトキシペクチン又はアルギン酸ナトリウムと多価金属からなるゲル粒子であって、多価金属の含有量が粒子乾燥重量中の２％以上であるゲル粒子。
（２）多価金属が重金属である上記（１）に記載のゲル粒子。
（３）多価金属がアルミニウム、カルシウム、スカンジウム、チタン、バナジウム、クロム、マンガン、鉄、コバルト、ニッケル、銅、亜鉛、ガリウム、ゲルマニウム、ストロンチウム、イットリウム、ジルコニウム、モリブデン、カドミウム、インジウム、スズ、バリウム、ハフニウム、鉛、ビスマス、ランタニドから選ばれた１つあるいは２つ以上のものである上記（１）に記載のゲル粒子。
（４）アスペクト比が１．７以下である上記（１）から（３）のいずれかに記載のゲル粒子。
（５）低メトキシ化ペクチン又はアルギン酸ナトリウムと多価金属からなるゲル粒子であって、多価金属の含有量が粒子乾燥重量中の２％以上であるゲル粒子からなる生物関連物質分離材。
（６）アスペクト比が１．７以下である上記（５）に記載の生物関連物質分離材。
（７）固定化金属クロマトグラフィー用の分離材である上記（５）又は（６）に記載の生物関連物質分離材。
（８）１％以上の濃度の低メトキシ化ペクチン溶液又はアルギン酸ナトリウム溶液を０．００５モル濃度以上の多価金属イオン溶液に接触させることからなるゲル粒子の製造方法。
【発明の効果】
【０００８】
本発明によれば安全で、簡便、低コストで製造できるゲル粒子、また、細胞や蛋白質など生物関連物質の分離材等に利用できるようなゲル粒子を提供することが出来る。
【発明を実施するための最良の形態】
【０００９】
本発明について以下、具体的に説明する。
本発明でいう低メトキシ化ペクチンとは、ペクチンの中でもエステル化度が５０％以下のものを指す。
【００１０】
本発明の多価金属とは２価以上の金属のことを言い、アルミニウム、カルシウム、スカンジウム、バナジウム、マンガン、ガリウム、ゲルマニウム、ストロンチウム、イットリウム、ジルコニウム、モリブデン、カドミウム、インジウム、スズ、バリウム、ハフニウム、鉛、ビスマス、又はチタン、クロム、鉄、コバルト、ニッケル、銅、亜鉛、ランタニドなどから選ばれた１つあるいは２つ以上の金属をいう。特に、細胞や蛋白質、核酸、アミノ酸、糖類といった生物関連物質の分離材に用いる場合は、カルシウム、アルミニウムまたは重金属（チタン、クロム、鉄、ニッケル、コバルト、銅、亜鉛、ランタニドなど）が好ましい。
２つ以上の金属が含まれる場合とは、１つの粒子に複数の金属が含まれる場合と、１つの粒子に１つの金属が含まれ、複数の金属についてそのような粒子が混合されている場合の両方が含まれる。
【００１１】
本発明のゲル粒子はこれらの金属を含有するものであるが、その含有量は用途に応じて適宜選択される。例えば、生物関連物質などの分離材として用いる場合は、ゲルを乾燥して測定した場合に２％以上であることが好ましい。２％未満では球状（アスペクト比１．７以下）の固いゲルとならなかったり、生物関連物質の分離材に用いた場合、満足な分離性能が得られない場合がある。また、好ましくは４％以上、さらに好ましくは６％以上である。なお、特に含有量の上限は無いが、２０％以下で用いることが現実的である。
本発明の金属は、水に溶ける形態のものであればいずれでもよく、各金属の硫酸塩、リン酸塩、炭酸塩、有機酸塩、フッ化物、ヨウ化物、臭化物、塩化物が用いられ、用途に応じて選択される。このうち、水への溶解性及び取り扱い性から塩化物が好ましく用いられる。
【００１２】
本発明で言う生物関連物質分離材とは、分析、精製、分取、分離回収などの目的のために生物関連物質を含んだ液体中から生物関連物質を分離するための材料をいい、代表的なものとして液体クロマトグラフィーカラムに用いる充填材があげられる。また、液体クロマトグラフィーカラムのうち、分離材として金属を固定化した担体を用いるものを固定化金属クロマトグラフィーという。なお、カラムに充填せずにいわゆるバッチ法で用いられる場合も本発明の分離材に含まれる。
また、分離される対象となる生物関連物質には、糖類、アミノ酸、核酸、ペプチド、蛋白質といった物質だけでなく、細胞（ヒトや動物の細胞だけでなく、微生物細胞、すなわち細菌や真菌、酵母も含む。そして、生細胞だけでなく死細胞も含む）やウイルス（不活性化されたウイルスも含む）やそれらの断片などの生体由来の物質や成分を含むものとする。
【００１３】
本発明のゲル粒子は、その利用に応じて所望の形状をとることができるが、生物関連物質分離材として用いる場合は、球状が好ましく、アスペクト比が１．７以下であることが望ましい。１．７より大きいと分離性能が期待できないからである。ゲル粒子のアスペクト比とは、粒子の短径に対する長径の比をいい、例えば、生成したゲルの写真をデジタルカメラで撮像し、ゲルの短径と長径を定規で測定してアスペクト比を算出することができる。
所望のアスペクト比を得るためには、例えば、後述する製造方法においてペクチン溶液の濃度、金属イオンの濃度を調整することにより行う。
【００１４】
本発明によるゲル粒子の製造方法は、１％以上のペクチン溶液又はアルギン酸ナトリウム溶液を０．００５モル濃度（mol／ｌ、以下Ｍと略す）以上の多価金属イオン溶液に接触させることにより行う。その接触の方法としては、例えば、何らかの方法でペクチン溶液等の液滴を発生させ、それを多価金属イオン溶液に接触させる方法、その逆に何らかの方法で多価金属イオン溶液の液滴を発生させ、それをペクチン溶液等に接触させる方法があげられるが、前者が簡便性の点でより好ましい。液滴を発生させる方法としては、シリンジなどから溶液を押し出す方法、アトマイザにより噴霧する方法などがあるが、これらに限定されるものではない。
【００１５】
ペクチン溶液又はアルギン酸ナトリウム溶液の調製方法としては水又は水を含む溶媒にペクチン又はアルギン酸ナトリウムを溶解することで調整する。水を含む溶媒とは、水に必要に応じて、水溶性の物質を添加したものをいい、例えば、アルコール、グリセリン、糖類などの各種有機物や高分子化合物、ゲル化が起こらないナトリウム塩やカリウム塩など添加したものをいう。なお、カルシウム塩などゲル化を引き起こす化合物の添加はあまり好ましくない。また、ペクチンを急速に水に投入するといわゆる「ダマ」が形成される場合があり、これを溶解するのに非常に難渋することがあるので、徐々にペクチンを投入していくことが望ましい。
また、水不溶性の物質であっても均一に分散・懸濁するような物質であれば水に添加して水を含む溶媒として用いることができる。この例として、ゲルの機械的強度増強に貢献するコロイダルシリカなどのフィラーがあげられる。
【００１６】
ペクチン溶液又はアルギン酸ナトリウム溶液の濃度は用途に応じてゲル化できる濃度であればよく、例えば生物関連物質分離材として用いる場合は、1％以上であることが好ましい。１％未満では球状（アスペクト比１．７以下）の固いゲルとならない可能性がある。また、高濃度ほど機械的強度の高いゲルが出来るが、一方で高濃度になると溶液の粘度が急上昇して扱いにくくなるため（特に、シリンジに入れて、手で押して液滴を作成する場合は非常な労力を要することになる）、適宜選択されるが、２０％以下で用いることが望ましい。
【００１７】
また、多価金属イオン溶液の濃度は用途に応じてゲル化できる濃度であればよく、例えば生物関連物質分離材として用いる場合は、０．００５Ｍ（モル）以上であることが好ましい。０．００５Ｍ未満では、球状（アスペクト比１．７以下）の固いゲルとならなかったり、生物関連物質の分離材に用いた場合、満足な分離性能が得られない場合がある。濃度が高い場合でももちろんゲルは形成されるが、例えば５Ｍといった高濃度の場合、金属塩水溶液にペクチン液滴を滴下する方法の場合、水溶液が高比重となり、形成したゲルビーズがすぐには沈まず、滴下の仕方によってはアスペクト比１．７未満のビーズにならないことを本発明者らは経験しているので、注意が必要である。従って、好ましくは０．０１〜５Ｍであり、さらに好ましくは０．０５〜２Ｍである。
以下に実施例により本発明をより詳細に説明するが、本発明はこれらにより限定されるものではない。
【実施例１】
【００１８】
[ペクチンゲル粒子の製造方法]
１．ペクチン溶液の調製
低メトキシ化ペクチン（三晶社製、製品GENU pectin type LM-102AS-J、エステル化度約３４％）を精製水に溶解し、４％水溶液とした。
【００１９】
２．金属塩溶液の調製
以下の金属塩（全て和光純薬社製）をそれぞれ精製水に溶解し、各金属塩の０．２Ｍ水溶液を調製した。
＜本実施例に用いた金属塩＞
塩化カルシウム２水和物
塩化亜鉛
塩化銅２水和物
塩化ランタン７水和物
塩化セリウム７水和物
塩化コバルト６水和物
【００２０】
３．ゲル粒子の製造
上記１．で調製した低メトキシ化ペクチン溶液５ｍｌを１８ゲージ鈍針（ＪＭＳ社製）の付いた２０ｍｌディスポーザブルシリンジ（テルモ社製）に入れ、上記２．で調製した０．２Ｍ金属塩水溶液２０ｍｌの入った５０ｍｌビーカーに手で押すことで滴下した。
【００２１】
４．結果
結果を表１に示す。
塩化カルシウム２水和物、塩化亜鉛、塩化ランタン７水和物、塩化セリウム７水和物：低メトキシ化ペクチン液滴が金属塩水溶液に接触後、瞬時に白色の球状ゲル粒子が生成した。
塩化銅２水和物：低メトキシ化ペクチン液滴が金属塩水溶液に接触後、瞬時に淡青色の球状ゲル粒子が生成した。
塩化コバルト６水和物：低メトキシ化ペクチン液滴が金属塩水溶液に接触後、瞬時に淡紫色の球状ゲル粒子が生成した。
生成したゲルの写真をデジタルカメラで撮像し、各１０個のゲルの短径と長径を定規で測定し、アスペクト比を計算したところ、いずれも１．７以下であった。
【００２２】
【表１】
0004623731.tif 000002
さらに、これらのうち、塩化ランタン７水和物、塩化セリウム７水和物、塩化銅２水和物で製造したゲル粒子（以下、それぞれ「ランタンゲル」、「セリウムゲル」、「銅ゲル」と略す）を純水で５日間洗浄した後、４０℃で６０時間乾燥し、ランタンゲルと銅ゲルは５００℃で灰化後、塩酸に溶解して、セリウムゲルは加熱した硫酸と過酸化水素で溶解して、いずれもＩＣＰ発光分析法にて各元素の定量分析を行った。その結果を表２に示す。
【００２３】
【表２】
0004623731.tif 000003
【実施例２】
【００２４】
[様々なペクチンを用いたペクチンゲル粒子の製造]
１．ペクチン溶液の調製
表３に示すペクチン（いずれも三晶社製GENU pectin type。エステル化度は表３に示すとおり）を精製水に溶解し、１％及び１０％水溶液とした（ただし、LM-22CG-Jは粘度が非常に高くなり、シリンジで押すことが困難だったため、５％とした）。
【００２５】
２．金属塩溶液の調製
以下の金属塩（全て和光純薬社製）をそれぞれ精製水に溶解し、各金属塩の０．０１及び０．１Ｍ水溶液を調製した。
＜本実施例に用いた金属塩＞
塩化インジウム４水和物
塩化セリウム７水和物
酢酸ルテチウム４水和物
【００２６】
３．ゲル粒子の製造
上記１．で調製したペクチン溶液５ｍｌを１８ゲージ鈍針（ＪＭＳ社製）の付いた２０ｍｌディスポーザブルシリンジ（テルモ社製）に入れ、上記２．で調製した０．０１Ｍまたは０．１M金属塩水溶液２０ｍｌの入った５０ｍｌビーカーに手で押すことで滴下した。
【００２７】
４．結果
結果を表４に示す。なお、アスペクト比は球状粒子とならなかったLM-22CG-J  １％と塩化インジウム４水和物及び塩化セリウム７水和物で生成したゲル以外はいずれも１．７以下であった。
【００２８】
【表３】
0004623731.tif 000004
【００２９】
【表４】
0004623731.tif 000005
【実施例３】
【００３０】
[金属塩水溶液に水不溶物を含有する場合についてのゲル粒子の製造]
１．ペクチン溶液の調製
低メトキシ化ペクチン（三晶社製、製品名GENU pectin type LM-105AS-J、エステル化度約４０％）を精製水に溶解し、１０％水溶液とした。
【００３１】
２．金属塩溶液の調製
硫酸鉄第一鉄７水和物（和光純薬社製）の０．２Ｍ水溶液を調製し、約６時間放置した。すると調製直後は黄色がかった透明な溶液であったのが褐色の沈殿を生じていた（空気中の酸素により酸化され、酸化鉄の沈殿を生じたと考えている）。
これをよく振り、２等分した、沈殿が沈むまで待ち、一方はそのまま（Ａ液とする）、もう一方は沈殿が舞い上がらないように、注意深くピペットで上清のみを採取した（Ｂ液とする）
【００３２】
３．ゲル粒子の製造
上記１．で調製したペクチン溶液５ｍｌを１８ゲージ鈍針（ＪＭＳ社製）の付いた２０ｍｌディスポーザブルシリンジ（テルモ社製）に入れ、上記２．で調製したＡ液、Ｂ液に滴下した。
【００３３】
４．結果
いずれもアスペクト比が１．７以下の球状粒子が生成した。Ｂ液で調製した粒子よりもＡ液で調製した粒子の方がより濃い褐色であった。
【実施例４】
【００３４】
[アルギン酸ゲル粒子の製造]
１．アルギン酸ナトリウム溶液の調製
アルギン酸ナトリウム（キミカ社製、商品名Ｉ−１）を精製水に溶解し、１重量％溶液とした。
【００３５】
２．金属塩溶液の調製
以下の金属塩（全て和光純薬社製）を精製水に溶解し、０．２Ｍ水溶液を調製した。
＜本実施例に用いた金属塩＞
塩化亜鉛
塩化銅２水和物
塩化ランタン７水和物
塩化セリウム７水和物
塩化コバルト６水和物
塩化マグネシウム６水和物
【００３６】
３．ゲル粒子の製造
上記１．で調製したアルギン酸ナトリウム溶液５ｍｌを１８ゲージ鈍針（ＪＭＳ社製）の付いた２０ｍｌディスポーザブルシリンジ（テルモ社製）に入れ、上記２．で調製した０．２Ｍ金属塩水溶液２０ｍｌの入った５０ｍｌビーカーに手で押すことで滴下した。
【００３７】
４．結果
塩化亜鉛、塩化ランタン７水和物、塩化セリウム７水和物：アルギン酸ナトリウム液滴が金属塩水溶液に接触後、瞬時に白色の球状粒子が生成した。
塩化銅２水和物：アルギン酸ナトリウム液滴が金属塩水溶液に接触後、瞬時に淡青色の球状粒子が生成した。
塩化コバルト６水和物：アルギン酸ナトリウム液滴が金属塩水溶液に接触後、瞬時に淡紫色の球状粒子が生成した。
塩化マグネシウム６水和物：アルギン酸ナトリウム液滴が金属塩水溶液に接触しても変化を生じなかった。アルギン酸ナトリウム濃度を３％に、金属塩濃度を２Ｍに上げて行ったが、溶液の粘度が若干上昇したのみで、他の金属のような球状粒子の生成は無かった。
実施例１と同様に、生成したゲルの写真をデジタルカメラで撮像し、各１０個のゲルの短径と長径を定規で測定し、アスペクト比を計算したところ、いずれも１．７以下であった。
【実施例５】
【００３８】
[ゲル粒子への細胞の吸着性]
１．細胞吸着材
実施例１で作成した銅ゲルを生理食塩水で洗浄し、細胞吸着材とした。
【００３９】
２．細胞浮遊液
ラット内分泌細胞株ＲＩＮ−５Ｆを生理食塩水に２×１０6個／ｍｌ濃度で浮遊させたものを細胞浮遊液とした。
【００４０】
３．細胞吸着実験
１．の細胞吸着材１０個を２．の細胞浮遊液１ｍｌ（すなわち、細胞の絶対数として２×１０6個）の入った浮遊細胞用ポリスチレン４８穴プレート（Ｃｏｒｎｉｎｇ社製）に添加し、室温、大気中で１５分間静置することで吸着させた。
【００４１】
４．結果
細胞吸着材への細胞の吸着状態を光学顕微鏡にて観察した。写真を図１に示す。背景が細胞吸着材、小さい円が細胞である。細胞が細胞吸着材に多数吸着していることが観察される。
【実施例６】
【００４２】
[細胞に高い吸着性を有する金属種のスクリーニング]
【００４３】
１．細胞試料
ラット膵内分泌細胞株ＲＩＮ−５Ｆをそのまま（「生細胞」）、及びベクトンディキンソン社製細胞固定液（商品名Ｃｅｌｌｆｉｘ。１％パラホルムアルデヒドが主成分）を同社の取扱い説明書にしたがって固定したもの（「固定細胞」）を細胞試料とした。
【００４４】
２．金属イオン含有液
和光純薬社製の金属標準液（濃度１０００ｐｐｍ）を用いた。原液の組成は表５のとおりである。
【００４５】
【表５】
0004623731.tif 000006
【００４６】
３．細胞−金属イオン吸着実験
上記１．の細胞を生理食塩水に浮遊させた細胞浮遊液と上記２．の金属イオン含有液（０．０１規定の水酸化ナトリウム水溶液にてｐＨを中性に調整してある）を用い、２ｍｌの１ｐｐｍ金属溶液中に細胞が２×１０6個存在するように調製し、３７℃で１時間静置した後、０．２２μｍのフィルターで濾過し、「接触後溶液」とした。また、細胞非存在の生理食塩水で同様の操作を行い、「接触前溶液」とした。なお、金属イオンの吸着が無いと考えられるアクリル樹脂粒子（綜研化学社製、粒径１０μｍ）を比較対照として置き、同様な操作を行った。
【００４７】
４．測定
接触前溶液と接触後溶液の金属濃度をプラズマ発光分析にて定量し、１００−（１００×接触後濃度／接触前濃度）＝吸着率  の式より吸着率を算定した。
【００４８】
５．結果
各金属の吸着率の結果を表６に示す。銅、銀、ランタン、セリウム、ルテチウムの細胞への吸着率が極めて高いことが分かる。
【００４９】
【表６】
0004623731.tif 000007
【実施例７】
【００５０】
[異なる種類の細胞間に選択性を有する金属種のスクリーニング]
１．細胞試料
実施例６で用いたラット膵内分泌細胞株ＲＩＮ−５Ｆに加え、ラット膵外分泌細胞株ＡＲ４２−Ｊを用いた。
【００５１】
２．金属イオン含有液
和光純薬社製の金属標準液（濃度１０００ｐｐｍ）を用いた。原液の組成は表７のとおりである。
【００５２】
【表７】
0004623731.tif 000008
【００５３】
３．細胞−金属イオン吸着実験
実施例６と同様の操作を行った。ただし、アクリル樹脂粒子は用いなかった。
【００５４】
４．測定
実施例６と同様な操作を行ったが、選択性の指標として、内分泌細胞株の吸着率／外分泌細胞株の吸着率＝選択率  の式より選択率を算定した。
【００５５】
５．結果
各金属の選択率の結果を表８に示す。コバルト、亜鉛、鉄、インジウム、スズ、アルミニウム、チタンの選択率が極めて高いことが分かる。
【００５６】
【表８】
0004623731.tif 000009
【産業上の利用可能性】
【００５７】
本発明によるゲル粒子は細胞や蛋白質など生物関連物質の分離材等に利用できる。また、金属を含んだ球状ゲルという特性を活かして、細胞培養担体、抗菌性材料、栄養食品といった用途、またDDS（ドラッグデリバリー）用担体やバイオ人工臓器（膵臓など）用のマイクロカプセルといった用途の可能性がある。
【図面の簡単な説明】
【００５８】
【図１】実施例５における細胞吸着材への細胞の吸着状態を光学顕微鏡にて観察した結果を示す写真である。
【図１】
0004623731.tif 000010